(57)【特許請求の範囲】
【請求項１】
オブジェクト認識による商品判別と光学式マークによる商品判別とが可能な売上データ処理装置であって、
オブジェクト認識により商品判別された取引対象に対しては当該取引対象の商品名称に対応させて当該オブジェクト認識による商品判別のために取得した画像をレシート用紙に印字することにより、取引対象がオブジェクト認識により商品判別されたか否かが識別可能なようにレシートを発行する制御手段を備え、
前記制御手段は、前記レシートを発行する際は、前記画像の印字位置が当該画像に対応する商品の名称情報、数量情報またはコード情報における頭末のうち末側になるように、前記レシート用紙に前記画像を印字する、
ことを特徴とする売上データ処理装置。
【請求項２】
オブジェクト認識による商品判別と光学式マークによる商品判別とが可能な売上データ処理装置であって、
オブジェクト認識により商品判別された取引対象に対しては当該取引対象の商品名称に対応させて当該オブジェクト認識による商品判別のために取得した画像をレシート用紙に印字する一方で、光学式マークにより商品判別された取引対象に対しては当該取引対象の商品名称に対応させて所定の特殊記号をレシート用紙に印字することにより、取引対象がオブジェクト認識により商品判別されたのか光学式マークにより商品判別されたのかが識別可能なようにレシートを発行する制御手段を備え、
前記制御手段は、前記レシートを発行する際は、前記画像と前記特殊記号とが同一の列に並ぶように、前記レシート用紙に前記画像と前記特殊記号とを印字する、
ことを特徴とする売上データ処理装置。
【請求項３】
オブジェクト認識による商品判別と光学式マークによる商品判別とが可能な売上データ処理装置におけるコンピュータを、
オブジェクト認識により商品判別された取引対象に対しては当該取引対象の商品名称に対応させて当該オブジェクト認識による商品判別のために取得した画像をレシート用紙に印字させることで、取引対象がオブジェクト認識により商品判別されたか否かが識別可能なようにレシートを発行させる制御手段として機能させ、
前記制御手段は、前記レシートを発行する際は、前記画像の印字位置が当該画像に対応する商品の名称情報、数量情報またはコード情報における頭末のうち末側になるように、前記レシート用紙に前記画像を印字させる、
ことを特徴とするプログラム。
【発明の詳細な説明】
【技術分野】
【０００１】
本発明は、売上データ処理装置及びプログラムに関する。
【背景技術】
【０００２】
従来、ＥＣＲ（Electronic Cash Register）やＰＯＳ（Point-of-sale）端末などの売上データ処理装置では、取引対象になる商品の判別方法として、取引対象になる商品に貼付されたバーコードなどの光学式マークをスキャナで読み取って判別する方法と、商品を撮像した画像データから得られる当該商品の特徴量に基づいて判別する所謂オブジェクト認識による方法があり、これら２つの方法を１台で使い分けて使用することも提案されている（特許文献１及び特許文献２参照）。
【先行技術文献】
【特許文献】
【０００３】
【特許文献１】特開２０１３−８９０８４号公報
【特許文献２】特開２０１４−８９６６９号公法
【発明の概要】
【発明が解決しようとする課題】
【０００４】
しかし、オブジェクト認識による商品の判別精度は光学式マークによる商品の判別精度に比べ低く、いまだに間違った情報を登録してしまう可能性が残っており、登録処理された売上データと実際の取引内容との間に齟齬が生じてしまうことがある。
【０００５】
そこで本発明は、登録処理された売上データと実際の取引内容との間に齟齬が生じていた場合に、その原因がオブジェクト認識によるものか否かを容易に識別可能な売上データ処理装置及びプログラムを提供することを目的とする。
【課題を解決するための手段】
【０００６】
上記目的を達成するために、請求項１に記載の発明に係る売上データ処理装置にあっては、オブジェクト認識による商品判別と光学式マークによる商品判別とが可能な売上データ処理装置であって、オブジェクト認識により商品判別された取引対象に対しては当該取引対象の商品名称に対応させて当該オブジェクト認識による商品判別のために取得した画像をレシート用紙に印字することにより、取引対象がオブジェクト認識により商品判別されたか否かが識別可能なようにレシートを発行する制御手段を備え、前記制御手段は、前記レシートを発行する際は、前記画像の印字位置が当該画像に対応する商品の名称情報、数量情報またはコード情報における頭末のうち末側になるように、前記レシート用紙に前記画像を印字する、ことを特徴とする。
また、請求項２に記載の発明に係る売上データ処理装置にあっては、オブジェクト認識による商品判別と光学式マークによる商品判別とが可能な売上データ処理装置であって、オブジェクト認識により商品判別された取引対象に対しては当該取引対象の商品名称に対応させて当該オブジェクト認識による商品判別のために取得した画像をレシート用紙に印字する一方で、光学式マークにより商品判別された取引対象に対しては当該取引対象の商品名称に対応させて所定の特殊記号をレシート用紙に印字することにより、取引対象がオブジェクト認識により商品判別されたのか光学式マークにより商品判別されたのかが識別可能なようにレシートを発行する制御手段を備え、前記制御手段は、前記レシートを発行する際は、前記画像と前記特殊記号とが同一の列に並ぶように、前記レシート用紙に前記画像と前記特殊記号とを印字する、ことを特徴とする。
【０００７】
また、請求項３に記載の発明に係るプログラムにあっては、オブジェクト認識による商品判別と光学式マークによる商品判別とが可能な売上データ処理装置におけるコンピュータを、オブジェクト認識により商品判別された取引対象に対しては当該取引対象の商品名称に対応させて当該オブジェクト認識による商品判別のために取得した画像をレシート用紙に印字させることで、取引対象がオブジェクト認識により商品判別されたか否かが識別可能なようにレシートを発行させる制御手段として機能させ、前記制御手段は、前記レシートを発行する際は、前記画像の印字位置が当該画像に対応する商品の名称情報、数量情報またはコード情報における頭末のうち末側になるように、前記レシート用紙に前記画像を印字させる、ことを特徴とする。
【発明の効果】
【０００８】
本発明によれば、登録処理された売上データと実際の取引内容との間に齟齬が生じていた場合に、その原因がオブジェクト認識によるものか否かを容易に識別可能な売上データ処理装置及びプログラムを提供できる。
【図面の簡単な説明】
【０００９】
【図１】ＰＯＳ端末の機能ブロック構成図
【図２】ＰＬＵテーブルの説明図
【図３】ＰＯＳ端末により発行されるレシートの印字例
【図４】ジャーナルデータの説明図
【図５】売上登録処理を説明するための説明図
【発明を実施するための形態】
【００１０】
以下、本発明の実施の形態について、図面を参照して詳細に説明する。
本実施の形態は売上データ処理装置としての機能を備えたＰＯＳ端末１に関するものである。ここでＰＯＳ端末１は、百貨店、スーパー、個人商店など、商品の販売と現金の授受またはカード等を用いた電子決済とが同時に行われる販売店での売上管理を主たる目的とした装置である。
【００１１】
また、本実施の形態のＰＯＳ端末１は、販売対象とする商品の名称やその金額等を取引データとして入力する際に、予め商品に貼付された光学マークとして例えばバーコードをレーザースキャナ１２で読み取りこの読み取ったバーコード情報に基づき取引商品を判別してデータ入力が可能に構成されている他、高解像度のカメラ１３で商品そのものを撮像して得た画像データに基づきその特徴量から取引商品を判別するといった所謂オブジェクト認識によってもデータ入力が可能に構成されている。
【００１２】
ＰＯＳ端末１は、図１に示すように、取引内容が印字されたレシートの発行など各種データをレシート用紙に印字出力するプリンタ１０、クレジットカードやプリペイドカード等の磁気データを読取走査するカードリーダ１１、前述したようにバーコードのような光学マークを読み取るためのレーザースキャナ１２、前述したように商品を撮像して画像データを取得するカメラ１３、各種データを表示出力するディスプレイ機能と各種データを手動で入力操作するデータ入力機能とが一体になったタッチパネル式表示部１４、商品データが予め記憶されているとともに商品の取引内容をジャーナルデータとして記憶する内蔵メモリ１５、当該ＰＯＳ端末１を統合的に制御する制御部１６等を備えている。
【００１３】
ここで、制御部１６は、プログラムに基づいて各種のデータ処理を実行するＣＰＵ（Central Processing Unit）１７や、ＣＰＵ１７が実行するプログラムが予め固定的に記憶されたＲＯＭ１８（Read Only Memory）、さらには各種データを更新自在に一時記憶することにより作業領域になるＲＡＭ１９（Random Access memory）等から構成されている。
【００１４】
内蔵メモリ１５には、各種の商品毎に商品データが予め記憶されたＰＬＵテーブル２１と、締め処理で区切られる一回の取引毎に商品の取引内容が１つの売上ファイルとして束ねられこれがジャーナルデータとして順次蓄積されるジャーナルエリアが設定されている。
【００１５】
ＰＬＵテーブル２１に記憶される商品データには、例えば図２に示すように、多数の商品の各々に対し、バーコード情報、オブジェクト認識情報、商品コード、商品名称、単価、ステータス、備考等の各情報が対応付けて設定されている。ここでバーコード情報は、レーザースキャナ１２で読み取ったバーコード情報と比較されるものであり、読み取ったバーコード情報と一致した商品情報に対応する商品コード、商品名称、単価、ステータス、備考等の情報をＰＬＵテーブル２１から読み出すためのものである。またオブジェクト認識情報は、カメラ１３で商品１００ｂそのものを撮像して得た画像データの特徴量と比較されるものであり、この画像データの特徴量と一致したオブジェクト認識情報に対応する商品コード、商品名称、単価、ステータス、備考等の情報をＰＬＵテーブル２１から読み出すためのものである。即ち、ＰＯＳ端末１は、レーザースキャナ１２により得たバーコード情報や画像データに基づいてＰＬＵテーブル２１により取引商品を判別可能に構成されている。
【００１６】
ＰＬＵテーブル２１に商品データとして記憶されているステータスには、バーコード情報に基づいて取引商品を判別したことを示す第一のシンボルと、商品そのものを撮像して得た画像データに基づいて取引商品を判別したことを示す第二のシンボルとが含まれる。図２に示す例では、第一のシンボルとして各商品に共通に「＊」が設定され、第二のシンボルとして商品をイメージ可能なイラストが各商品に対応させて設定されている。例えば、りんごに対応させてりんごをイメージさせるイラスト、みかんに対応させてみかんをイメージさせるイラスト、いちごに対応させていちごをイメージさせるイラスト、たまごに対応させてたまごをイメージさせるイラスト等である。
【００１７】
即ち、ＰＯＳ端末１は、図３に示すように、取引商品をレーザースキャナ１２により得たバーコード情報に基づいて判別した場合にはこの判別した取引商品に対応する商品名称や単価に対応付けて第一のシンボル１０１をプリンタ１０によりレシート用紙に印字する一方で、取引商品をカメラ１３により得た画像データの特徴量で判別した場合にはこの判別した取引商品に対応する商品名称や単価に対応付けて第二のシンボル１０２をプリンタ１０によりレシート用紙に印字するように構成されている。これにより店員や顧客は、レシート３１を確認した際に、商品名称や単価に対応付けて第一のシンボル１０１が印字されているか第二のシンボル１０２が印字されているかによって、その商品がバーコードの読み取りによって商品判別されたのかオブジェクト認識によって商品判別されたのかが容易に確認することができる。
【００１８】
またＰＯＳ端末１は、図４に示すように、取引内容をジャーナルデータ３２として記憶管理する際には、上述したような判別方法の違いに対応させて同様に第一のシンボル１０１または第二のシンボル１０２を選択して各取引内容に対応付けて記憶管理するように構成されている。これにより店員は、ジャーナルデータを確認した際に、商品名称や単価に対応付けて第一のシンボル１０１が記憶管理されているか第二のシンボル１０２が記憶管理されているかによって、その商品がバーコードの読み取りによって商品判別されたのかオブジェクト認識によって商品判別されたのかが容易に確認することができる。
【００１９】
以下、図５に示すフローチャートに基づいて、売上データを登録処理する際に制御部１６によって実行される売上データ登録処理について説明する。タッチパネル式表示部１４を介して店員により取引開始が指示されると（ＳＡ１）、制御部１６は商品に貼付されたバーコードに対するレーザースキャナ１２によるスキャンによりバーコード情報が読み取られたか否かを判断する（ＳＡ２）。
【００２０】
バーコード情報が読み取られた場合には、ＰＬＵテーブル２１として内蔵メモリ１５に記憶されているバーコード情報の中からこのバーコード情報に対応したバーコード情報を検索し、このバーコード情報に対応した商品名称、単価及び備考を読み出し、取引の詳細データとして商品コードとともに登録する。またこの場合、バーコード情報に基づいて取引商品を判別しているためステータスとして第一のシンボル「＊」を選択し、この選択した第一のシンボル「＊」も取引の詳細データとして商品名称、単価、備考及び商品コードに対応付けて登録する（ＳＡ３）。なお、レーザースキャナ１２によるバーコード情報の読み取り方法は周知の技術を用いることができる。
【００２１】
また、制御部１６は商品がカメラ１３により撮像されることにより画像データが取得されこの画像データに基づく特徴量が得られた否かを判断する（ＳＡ４）。特徴量が得られた場合には、ＰＬＵテーブル２１として内蔵メモリ１５に記憶されている商品コードの中からこの特徴量に対応したオブジェクト認識情報を検索し、この商品コードに対応した商品名称、単価及び備考を読み出し、取引の詳細データとして商品コードとともに登録する。またこの場合、所謂オブジェクト認識に基づいて取引商品を判別しているためステータスとして第二のシンボルを選択し、この選択した第二のシンボルを商品名称、単価、備考及び商品コードに対応付けて登録する（ＳＡ５）。なお、オブジェクト認識及びその際に適用される特徴量の導出については周知の技術を用いることができる。
【００２２】
また、タッチパネル式表示部１４を介して店員により例えば小計キーが操作されることにより商品登録の終了が指示されると（ＳＡ６）、売り上げの合計金額を算出する（ＳＡ７）。そして、例えばカードリーダ１１を介したカード決済等により支払い処理が実行され締め処理がされると（ＳＡ８）、図３に示したように、取引内容として登録した取引の詳細データや合計金額、決済情報をプリンタ１０によりレシート用紙に印字してレシート３１を発行する（ＳＡ９）。また、取引内容として登録した取引の詳細データや合計金額、決済情報を１つの売上ファイルとして束ね、これをジャーナルデータとして内蔵メモリ１５に記憶させる（ＳＡ１０）。
【００２３】
なお、ステップＳＡ２で否であった場合はステップＳＡ４に進み、ステップＳＡ４で否であった場合はステップＳＡ６に進み、ステップＳＡ６で指示がなかった場合はステップＳＡ２に戻ることにより、ステップＳＡ６での指示を受け付けるまではステップＳＡ２からステップＳＡ６を繰り返す。
【００２４】
上述の実施の形態では、取引対象の商品がオブジェクト認識により判別されたか否かが識別可能なように、予めＰＬＵテーブルに商品をイメージ可能なイラストを各商品に対応させて設定しておき、これを取引対象の商品の名称に対応するようにレシート用紙に印字してレシートを発行したり、ジャーナルデータとして記憶管理する場合について説明したが、取引対象の商品がオブジェクト認識により判別されたか否かが識別可能であればよく、本発明はこのような構成に限定されるものではない。
【００２５】
例えば、オブジェクト認識により商品判別をする際にカメラ１３で商品を撮像することにより得た画像データからなる画像、即ち写真画像を取引対象の商品の名称に対応させてレシート用紙に印字してレシートを発行したり、ジャーナルデータとして記憶管理する構成としてもよい。
【００２６】
以下に、本願出願の当初の特許請求の範囲に記載された発明を付記する。  
［請求項１］
オブジェクト認識による商品判別と光学式マークによる商品判別とが可能な売上データ処理装置であって、
取引対象の商品がオブジェクト認識により判別されたか否かが識別可能なようにレシートを発行する制御手段を備えたことを特徴とする売上データ処理装置。
［請求項２］
取引対象の商品の名称に対応させて、前記取引対象の商品をイメージさせるイラストをレシート用紙に印字してレシートを発行することを特徴とする請求項１に記載の売上データ処理装置。
［請求項３］
取引対象の商品の名称に対応させて、オブジェクト認識による商品判別の際に取得した画像をレシート用紙に印字してレシートを発行することを特徴とする請求項１に記載の売上データ処理装置。
［請求項４］
取引対象の商品が光学式マークにより判別されたか否かが識別可能なようにレシートを発行することを特徴とする請求項１から３のいずれかに売上データ処理装置。
［請求項５］
オブジェクト認識による商品判別と光学式マークによる商品判別とが可能な売上データ処理装置であって、
取引対象の商品がオブジェクト認識により判別されたか光学式マークにより判別されたか否かが識別可能なようにジャーナルデータを記憶管理する制御手段を備えたことを特徴とする売上データ処理装置。
【符号の説明】
【００２７】
１  ＰＯＳ端末
１０  プリンタ
１１  カードリーダ
１２  レーザースキャナ
１３  カメラ
１４  タッチパネル式表示部
１５  内蔵メモリ
１６  制御部
２１  ＰＬＵテーブル
３１  レシート
３２  ジャーナルデータ
１０１  第一のシンボル
１０２  第二のシンボル
【図１】
0006394187.tif 000002
【図２】
0006394187.tif 000003
【図３】
0006394187.tif 000004
【図４】
0006394187.tif 000005
【図５】
0006394187.tif 000006